(57)【特許請求の範囲】
【請求項１】
遊技機の役物の駆動装置であって、
両側面がそれぞれ円弧をなす板状に形成され、その両側面にそれぞれ一体的に設けられた複数の歯列からなるセクタギアおよび前記両側面のそれぞれの内側かつ近傍に前記セクタギアの回転中心となる回転軸を有する第１リンク部材と、
両側面がそれぞれ円弧をなす板状に形成され、その両側面にそれぞれ一体的に設けられた複数の歯列からなるセクタギアおよび前記両側面のそれぞれの内側かつ近傍に前記セクタギアの回転中心となる回転軸を有するとともに、その一方の前記セクタギアが前記第１リンク部材の一方のセクタギアに噛合して回転自在に連結された第３リンク部材と、
両側面がそれぞれ円弧をなす板状に形成され、その両側面にそれぞれ一体的に設けられた複数の歯列からなるセクタギアおよび前記両側面のそれぞれの内側かつ近傍に前記セクタギアの回転中心となる回転軸を有するとともに、その板面が、前記第１リンク部材の前記噛合部分側の板面および前記第３リンク部材の前記噛合部分側の板面と対面するように配置された第２リンク部材と、
両側面がそれぞれ円弧をなす板状に形成され、その両側面にそれぞれ一体的に設けられた複数の歯列からなるセクタギアおよび前記両側面のそれぞれの内側かつ近傍に前記セクタギアの回転中心となる回転軸を有するとともに、その一方の前記セクタギアが前記第２リンク部材の一方のセクタギアに噛合して回転自在に連結された第４リンク部材と、
を備え、
前記第１リンク部材と前記第２リンク部材とは、前記第２リンク部材の一方の回転軸を介して回動自在に連結され、前記第３リンク部材と前記第２リンク部材とは、前記第２リンク部材の他方の回転軸を介して回転自在に連結されて、前記第１リンク部材および前記第３リンク部材のいずれかと前記第４リンク部材とは前記第４リンク部材の前記回転軸を介して回転自在に連結されていることを特徴とする役物の駆動装置。
【請求項２】
前記第２リンク部材のいずれかの前記セクタギアに噛合する平歯車を備えていることを特徴とする請求項１に記載の役物の駆動装置。
【請求項３】
遊技球が流下する遊技領域を有する遊技盤を備えている遊技機において、
請求項１または２に記載の役物の駆動装置を備えていることを特徴とする遊技機。
【発明の詳細な説明】
【技術分野】
【０００１】
本発明は遊技機の役物の駆動装置およびこれを用いた遊技機に関する。
【背景技術】
【０００２】
遊技盤の中央部に画像表示装置を有するセンター役物を備えた弾球遊技機が広く使用されている。かかる弾球遊技機においては、発射装置から発射された遊技球が特定の入賞口を通過した場合、センター役物内の画像表示装置において特別図柄を変動表示することによって電子的な当否抽選の実施を遊技者に告知する。そして所定時間経過後、当否抽選の結果に応じた確定図柄を画像表示装置に表示し、かかる抽選結果が「当たり」の場合は遊戯者に有利な遊戯状態を提供する。このように画像表示装置等の演出手段を効果的に用いることによって、遊技者の興味を引き付けることが企図されている。
【特許文献１】特開２００４−１１３３５４
【発明の開示】
【発明が解決しようとする課題】
【０００３】
しかしながら、上記の如き従来のセンター役物においては、専ら液晶パネル等の二次元的な画像表示装置や、回転運動等の単純な動作を行う機構を用いて演出が行なわれるため、音響装置や遊技盤面内外の電飾等による補助的な演出手段を伴っても、遊技者に飽きられてしまうおそれがあった。
【０００４】
本発明が解決しようとする課題には上記の問題が一例として挙げられ、遊技中の演出内容を興味深いものにして、遊技者に飽きられることなく興味を引き付けておくことが可能な役物の駆動装置および遊技機を提供することを目的としている。
【課題を解決するための手段】
【０００５】
この目的を達成するために、遊技機の役物の駆動装置であって、両側面がそれぞれ円弧をなす板状に形成され、その両側面にそれぞれ一体的に設けられた複数の歯列からなるセクタギアおよび前記両側面のそれぞれの内側かつ近傍に前記セクタギアの回転中心となる回転軸を有する第１リンク部材と、両側面がそれぞれ円弧をなす板状に形成され、その両側面にそれぞれ一体的に設けられた複数の歯列からなるセクタギアおよび前記両側面のそれぞれの内側かつ近傍に前記セクタギアの回転中心となる回転軸を有するとともに、その一方の前記セクタギアが前記第１リンク部材の一方のセクタギアに噛合して回転自在に連結された第３リンク部材と、両側面がそれぞれ円弧をなす板状に形成され、その両側面にそれぞれ一体的に設けられた複数の歯列からなるセクタギアおよび前記両側面のそれぞれの内側かつ近傍に前記セクタギアの回転中心となる回転軸を有するとともに、その板面が、前記第１リンク部材の前記噛合部分側の板面および前記第３リンク部材の前記噛合部分側の板面と対面するように配置された第２リンク部材と、両側面がそれぞれ円弧をなす板状に形成され、その両側面にそれぞれ一体的に設けられた複数の歯列からなるセクタギアおよび前記両側面のそれぞれの内側かつ近傍に前記セクタギアの回転中心となる回転軸を有するとともに、その一方の前記セクタギアが前記第２リンク部材の一方のセクタギアに噛合して回転自在に連結された第４リンク部材と、を備え、前記第１リンク部材と前記第２リンク部材とは、前記第２リンク部材の一方の回転軸を介して回動自在に連結され、前記第３リンク部材と前記第２リンク部材とは、前記第２リンク部材の他方の回転軸を介して回転自在に連結されて、前記第１リンク部材および前記第３リンク部材のいずれかと前記第４リンク部材とは前記第４リンク部材の前記回転軸を介して回転自在に連結されていることを特徴としている。
【発明を実施するための形態】
【０００６】
以下、本発明の実施例の役物の駆動装置を説明する。
【０００７】
先ず本発明の実施例の役物の駆動装置が組み込まれる対象としてのパチンコ機１０を図１を参照しながら説明する。パチンコ機１０は、本体基部１１と、本体基部１１に開閉可能に取り付けられている前面扉１２とを備えている。前面扉１２には、ガラス板１３aが嵌めこまれたガラス枠１３が開閉可能に取り付けられている。本体基部１１の前面にはガラス板１３aから離間した位置に対向するように配置された遊技盤１４が設けられている。遊技盤１４の内、ガイドレール１５に囲繞された遊技領域１４aがガラス板１３aを介して視認できるようになっている。遊技盤１４の上部には電飾装置１６やスピーカ１７が設けられている。前面扉１２の右下には遊技球の操作ハンドル２０が回動自在に設けられている。前面扉１２には、更に供給皿２１、灰皿２２が設けられている。
【０００８】
遊技領域１４aには、その略中央部にセンター役物３０が設けられており、その周囲に特定入賞口（始動入賞口）３１、アタッカ３２、アウト口３３が設けられている。センター役物３０は液晶パネル等の表示装置からなる図柄表示装置３０aを備えている。尚、遊技領域１４aには、更に図示しない普通入賞口、釘、風車などが設けられている。
【０００９】
次に、上記したパチンコ機１０の制御装置を図２を参照しながら説明する。パチンコ機１０にはマイクロコンピュータ等からなる制御装置５０が設けられている。かかる制御装置５０は電源５１によって電力が供給されている。更に球技球の入賞を検知するスイッチ等の各種入力５２、スピーカ１７からの効果音の発生を制御する音声制御装置５３、電飾装置１６を制御する電飾制御装置５４、発射制御装置５５、賞球の払い出しを制御する払出制御装置５６、図柄表示を制御する図柄表示制御装置５７等が接続されている。更に、制御装置５０にはモータ６０等の駆動手段が接続されており、かかるモータ６０を介して後述する本実施例の役物の駆動装置が駆動される。
【００１０】
上記したパチンコ機１０において、遊技者は操作ハンドル２０を操作して、供給皿２１から供給される遊戯球を遊技領域１４aに向けて打ち出す。打ち出された遊技球は、ガイドレール１５に沿って案内された後、遊技領域１４a内を乱舞しながら落下する。そして遊技領域１４aの最下部に到達するまでに入賞口に入らなかった場合は、アウト口３３に入って回収される。
【００１１】
一方、入賞口に遊技球が入賞した場合は、所定数の賞球が供給皿２１に払い出される。特に遊戯球が入賞した入賞口が特定入賞口３１であった場合は、図３乃至５に示されるような電子的な当否抽選が上記した制御装置５０において行われる。すなわち、図３に示されるように、特定入賞口３１に設けられている、例えば、光電スイッチ等の当否抽選始動スイッチ（図示せず）によって遊技球の特定入賞口３１への入賞が検知された場合は（ステップＳ１）、制御装置５０は当否抽選ルーチン（ステップＳ２）を実施する。当否抽選ルーチンにおいては、図４に示されるように、「リーチ演出モード」へ移行するか否かが決定され（ステップＳ２１）、「リーチ演出モード」への移行が選択された場合は後述する「リーチ演出モード」が実施され（ステップＳ２２）、「リーチ演出モード」への移行が選択されなかった場合は後述する「はずれ演出モード」が実施される（ステップＳ２５）。なお、「はずれ演出モード」が実施された後は普通の状態に戻る。「リーチ演出モード」が実施された後は、「当たりモード」へ移行するか否かが決定され（ステップＳ２３）、「当たりモード」への移行が選択された場合は「当たりモード」が実施され（ステップＳ２４）、「当たりモード」への移行が選択されなかった場合は普通の状態に戻る。
【００１２】
ここで、「当たりモード」とは、遊技者にとって有利な遊技状況が提供される状態のことをいう。例えば、アタッカ３２が手前側に回動して通常は閉じられている大入賞口が開放される。大入賞口は、例えば３０秒開放されるか又は大入賞口に遊技球が１０個入賞したことが検知されるまで開放され続け、その後アタッカ３２を逆向きに回動することによって大入賞口が閉じられて第１ラウンドが終了する。大入賞口が閉じられるまでに大入賞口内に遊技球が入賞した場合は第１ラウンド終了後に再度アタッカ３２が回動して引き続いて第２ラウンドが開始する。以降、同様に第３ラウンド、第４ラウンド等が続き、所定の回数のラウンドが完了すると「当たりモード」が終了する。この様に「当たりモード」に移行すると通常は閉じられている大入賞口が開放されることになるため、通常よりも賞球を獲得しやすくなる。
【００１３】
次に、前述した「リーチ演出モード」及び「はずれ演出モード」について説明する。センター役物３０の図柄表示装置３０aにおいては、一般的に３つの図柄が横方向に並んで表示される。各図柄には、例えば０乃至９の数字が表示される。特定入賞口３１に遊技球が入賞すると図柄表示装置３０aの３つの図柄が上方から下方へ流れるように変動表示（スクロール）される。変動表示されている図柄はその後停止され、「当たり」の場合は「３３３」、「７７７」等のような特定の図柄が表示される。
【００１４】
ここで、図柄を停止するときは、３つの図柄を同時に停止するのではなく、例えば左側の図柄のみ停止した図柄を最初に表示し、次に左側及び右側の図柄が停止した図柄を表示し、最後に全ての図柄が停止した図柄を表示するようにして時間差をつけて３つの図柄を停止する方法がとられている。このようにして当否判定の結果の告知を意図的に遅延せしめることによって、遊戯者の興味を引き付けることが企図されている。上記した時間差がつけられた表示のうち、特に、左側の図柄及び右側の図柄が共に同じ図柄で揃って停止し、中央の図柄のみが変動している表示を「リーチ表示」と称する。また、「リーチ表示」が行なわれている状態を「リーチ演出モード」と称する。「リーチ演出モード」においては、上述した「当たりモード」に移行することが期待できるので遊技者は特に興味を引き付けられる。従ってこの状態をより効果的に演出することで遊技者はより一層「当たりモード」に対する期待感をかきたてられることになる。なお、「はずれ演出モード」とは左側の図柄及び右側の図柄が互いに異なる図柄で揃って停止する表示がなされる場合をいう。かかる表示がされた後は、停止した３つの図柄を表示した後、普通の状態に戻る。
【００１５】
本願発明の第１実施例においては、図５に示すように、上記した「リーチ演出モード」において図柄表示装置３０aに「リーチ表示」を表示し（ステップＳ２２１）、更に役物を効果的に駆動せしめる（ステップＳ２２２）ことを特徴としている。以下に先ず本実施例の役物の駆動装置の構造について説明する。
【００１６】
図６は本発明の第１実施例の役物の駆動装置１００の斜視図である。図６には５つのリンク部材、すなわち、第１リンク部材１１０、第２リンク部材１２０、第３リンク部材１３０、第４リンク部材１４０、及び第５リンク部材１５０が縦続して連結した駆動装置１００が示されている。具体的に説明すると、第１リンク部材１１０はその両端部に互いに平行な第１回転軸O1及び第２回転軸O2を有している。更に第１リンク部材１１０は、その両端部に各々セクタギアを備えている。すなわち、第１リンク部材１１０の一端部（図６において手前側に示す）には第１回転軸O1を中心として約１８０度の角度に亘って延在する円弧に沿った第１歯列１１０aが形成されている。同様に、第１リンク部材１１０の他端部（図６において奥側に示す）には第２回転軸O2を中心として約１８０度の角度に亘って延在する円弧に沿った第２歯列１１０bが形成されている。
【００１７】
他のリンク部材も第１リンク部材１１０と同様の形状を有している。すなわち、第２リンク部材１２０は、その両端部に互いに平行な第２回転軸O2及び第３回転軸O3を有し、更にこれらの回転軸O2及びO2を各々中心とする約１８０度の角度に亘って延在する円弧に沿った第１歯列１２０a及び第２歯列１２０bを両端部に備えている。第３リンク部材１３０は、その両端部に互いに平行な第３回転軸O3及び第４回転軸O4を有し、更にこれらの回転軸O3及びO4を各々中心とする約１８０度の角度に亘って延在する円弧に沿った第１歯列１３０a及び第２歯列１３０bを両端部に備えている。第４リンク部材１４０は、その両端部に互いに平行な第４回転軸O4及び第５回転軸O5を有し、更にこれらの回転軸O4及びO5を各々中心とする約１８０度の角度に亘って延在する円弧に沿った第１歯列１４０a及び第２歯列１４０bを両端部に備えている。第５リンク部材１５０は、その両端部に互いに平行な第５回転軸O5及び第６回転軸O6を有し、更にこれらの回転軸O5及びO6を各々中心とする約１８０度の角度に亘って延在する円弧に沿った第１歯列１５０a及び第２歯列１５０bを両端部に備えている。
【００１８】
次に、これら５つのリンク部材の連結態様について説明する。
【００１９】
第１リンク部材１１０と第２リンク部材１２０とは第２回転軸O2を介して回動自在に結合されている。第２リンク部材１２０と第３リンク部材１３０とは第３回転軸O3を介して回動自在に結合されている。第３リンク部材１３０と第４リンク部材１４０とは第４回転軸O4を介して回動自在に結合されている。第４リンク部材１４０と及び第５リンク部材１５０とは第５回転軸O5を介して回動自在に結合されている。これによって５つのリンク部材は、第１リンク部材１１０、第２リンク部材１２０、第３リンク部材１３０、第４リンク部材１４０、及び第５リンク部材１５０の順序で縦続して連結されることになる。
【００２０】
上記のように縦続して連結されている５つのリンク部材は、更に１つおきのリンク部材同士が、互いに各々のセクタギアによって噛合している。具体的には、図６に示すように、第１リンク部材１１０の第２歯列１１０bと第３リンク部材１３０の第１歯列１３０aとが噛合し、第２リンク部材１２０の第２歯列１２０bと第４リンク部材１４０の第１歯列１４０aとが噛合し、第３リンク部材１３０の第２歯列１３０bと第５リンク部材１５０の第１歯列１５０aとが噛合している。
【００２１】
更に、図６には第２リンク部材１２０の第１歯列１２０aと噛合する平歯車１９０が第１回転軸O1を介して第１リンク部材１１０と回動自在に結合されている。
【００２２】
上記のような、５つのリンク部材を用いることによって、以下に示すような興味深い動きが可能となる。すなわち、平歯車１９０を固定して第１リンク部材１１０を第１回転軸O1の周りに時計回りに所定の回転角度だけ回転駆動せしめた場合、第１リンク部材１１０と第２リンク部材１２０とは第２回転軸O2を介して回動自在に結合されているので、第２回転軸O2も第１回転軸O1の周りに時計回りに回動する。このとき、第２リンク部材１２０の第１歯列１２０aは平歯車１９０に噛合しているので、第２リンク部材１２０は第１回転軸O1の周りに時計回りに回動している第２回転軸O2を中心として回動する。よって、第２リンク部材１２０の回動によって傾斜する角度は第１リンク部材１１０のものに比べてより大きくなる。他のリンク部材も上記した第１リンク部材１１０及び第２リンク部材１２０の結合方法と同様の結合方法で結合されているため、第１リンク部材１１０と第２リンク部材１２０との位置関係と同じように、回動によって傾斜するリンク部材の角度は、１つ前のリンク部材の回動による傾斜角度に比べてより大きくなる。
【００２３】
図７には第１リンク部材１１０が所定の回転角度だけ回転せしめられた後の装置１００の状態が示されている。更に図８には本発明の第１実施例の駆動装置１００の動きが明確に判るように、図６及び図７に示されている駆動装置の形態を正面から示している。図６、図７及び図８から判るように、第１リンク部材１１０の回動によって（図７において黒矢印で示す）、第２リンク部材１２０、第３リンク部材１３０、第４リンク部材１４０、及び第５リンク部材１５０が全て第１リンク部材１１０の回動方向と同方向（図７において白矢印で示す）に回動する。また、第１リンク部材１１０のわずかな回転角度（図８においてαで示す）の回動によって他の第１リンク部材を大きく回動せしめることが可能となる。
【００２４】
このように、本発明の第１実施例の役物の駆動装置１００では、末端のリンク部材をわずかに駆動するだけで、他の全てのリンク部材を末端のリンク部材の回転方向と同方向に大きく回動せしめることが可能となる。
【００２５】
次に上記の本発明の第１実施例の役物の駆動装置１００がセンター役物に設置されて演出が行われる様子を、図５及び図９（Ａ）及び（Ｂ）を参照しながら説明する。
【００２６】
図９（Ａ）及び（Ｂ）に示されるように、本発明の第１実施例においては、センター役物３０には図柄表示装置３０aが配置されており、図柄表示装置３０aの上側には役物の駆動装置１００が平歯車１９０を固定した状態で設置されている。通常は駆動装置１００は図柄表示装置３０aの上側に直線状に静止している。なお、第１回転軸O1は一番左側に位置している。すなわち、平歯車１９０は一番左側に位置している。更に図示しないモータが駆動装置１００に結合しており、かかるモータによって第１リンク部材１１０が第１回転軸O1の周りに回転駆動するようになっている。図９（Ａ）は図柄表示装置３０aにおいて、左側の図柄のみ停止されており（数字の「７」が確定表示されている）中央及び右側の図柄が変動表示されている状態が示されている。なお、図中の下向き矢印は図柄が変動表示されていることを示している。「リーチ演出モード」が実施された場合、図５に示すように、先ず図柄表示装置３０aに上述した「リーチ表示」が表示される（ステップＳ２２１）。かかる表示内容の例が図９（Ｂ）に示されている。すなわち、「リーチ演出モード」においては、図柄表示装置３０aでは、左側の図柄及び右側の図柄が共に同じ図柄（図中では「７」が示されている）で揃って表示される。更に本実施例の「リーチ表示」においては、図柄表示装置３０aの左上に「リーチ」という文字が表示される。続いて、ステップＳ２２１においてモータ６０に制御装置５０から信号が送られ、よってモータ６０が作動して第１リンク部材１１０が第１回転軸O1の周りに時計回りに所定の回転角度回転せしめられる。これにより他のリンク部材が時計回りに回動し、よって図柄表示装置３０aの「リーチ」の文字を囲むような形態となる。
【００２７】
このように、「リーチ演出モード」において、興味深い演出が行なわれることによって、遊技者に興味を引き付けることが可能となる。
【００２８】
また、リンク部材同士は互いに回転軸及びセクタギアを介して連結されているので、長期間作動したものであってもがたつきを生じにくく、再現性のある正確でスムーズな動きを実現することが可能となる。
【００２９】
なお、上記の第１実施例の説明においては、平歯車１９０を固定して第１リンク部材１１０をモータにより駆動することにより装置を作動する方法を説明したが、駆動方法はこれに限られるものではない。例えば、第１リンク部材１１０を固定して平歯車１９０をモータによって駆動しても良い。
【００３０】
なお、簡易な構造にすべく、上記の第１実施例のリンク部材は全て同一形状であるとして説明を行なったが、これに限られるものではない。例えば、連結するリンク部材を一端側から他端側にむけて徐々に大きな形状にしたり、各リンク部材の両端の第1歯列と第2歯列とを別形状にしたりすることによって、より変則的な動きや特異な形態を実現することが可能となる。
【００３１】
また、上記第１実施例の駆動装置は５つのリンク部材からなるものであったが、これに限られるものではなく任意の個数のリンク部材から構成されても良い。
【００３２】
また、上記第１実施例の駆動装置は「リーチ演出モード」において駆動せしめられるものであったが、これに限られるものではない。例えば、アタッカの開放時期に連動して駆動せしめたり、図柄表示装置３０aに表示される３つの図柄が順次停止していくタイミングに併せて、例えば、１０度、２０度、３０度というように第１リンク部材１１０の初期位置からの回転角度を徐々に増加したりするものであっても良い。
【００３３】
次に本発明の第２実施例について説明する。
【００３４】
図１０には本発明の第２実施例の役物の駆動装置２００の斜視図が示されており、７つのリンク部材、すなわち、第１リンク部材２１０、第２リンク部材２２０、第３リンク部材２３０、第４リンク部材２４０、第５リンク部材２５０、第６リンク部材２６０、及び第７リンク部材２７０が縦続して連結している。
【００３５】
これら７つのリンク部材の各々の構造は前述の第１実施例の構造と同様であるので説明は省略する。また、第２実施例の役物の駆動装置２００は第１実施例のものに比べてリンク部材の個数が２個多いが、リンク部材同士の結合方法は第１実施例のものと同様であるので説明は省略する。
【００３６】
第１実施例の駆動装置１００では、平歯車１９０は、第２リンク部材１２０の第１歯列１２０aと噛合し、且つ第１回転軸O1を介して第１リンク部材１１０と回動自在に接続されていたが、第２実施例の駆動装置２００では、平歯車２９０は、第３リンク部材２３０の第２歯列２３０ｂに噛合している。
【００３７】
上記のような、７つのリンク部材を用いることによって、以下に示すような興味深い動きが可能となる。すなわち、図１０に示すように、第４リンク部材２４０を固定して平歯車２９０を回転軸Oaの周りに時計回りに所定の回転角度だけ回転駆動せしめた場合（図中黒矢印で示す）、第１リンク部材２１０、第２リンク部材２２０、及び第３リンク部材２３０は反時計回りに回動し（図中白矢印で示す）、第５リンク部材２５０、第６リンク部材２６０、及び第７リンク部材２７０は時計回りに回動する（図中ハッチング矢印で示す）。なお、各リンク部材の回動による傾斜角度の大きさは第１実施例の場合と同様である。すなわち、回動によって傾斜するリンク部材の角度は、１つ前のリンク部材の回動による傾斜角度に比べてより大きくなる。
【００３８】
このように、本発明の第２実施例の役物の駆動装置２００では、連結されているリンク部材のうち、末端部に位置するリンク部材を除いた１つを回動することによって、当該１つのリンク部材より右側に位置するリンク部材と左側に位置するリンク部材とを互いに反対方向に回動せしめることが可能となる。
【００３９】
以上のように、本発明の役物の駆動装置は、隣接するリンク部材同士を回動せしめるとこれに連動して残りの隣接するリンク部材同士が互いに同じ方向に回動するので、これによって駆動される役物の動きが興味深くなる。また、端のリンク部材を回動せしめると、残りのリンク部材も同一方向に大きく回動するので、小なるストロークの駆動力によって大きい揺動動作が得られる。
【図面の簡単な説明】
【００４０】
【図１】本発明の実施例の役物の駆動装置が組み込まれる対象である遊技機の正面図である。
【図２】図１の遊技機の制御装置を示すブロック図である。
【図３】図１の遊技機の制御装置が行なうメインルーチンを説明するフローチャートである。
【図４】図３のメインルーチンに含まれる当否抽選サブルーチンを説明するフローチャートである。
【図５】図４の当否抽選サブルーチンに含まれるリーチ演出モードサブルーチンを説明するフローチャートである。
【図６】本発明の実施例の役物の駆動装置の斜視図である。
【図７】図６の駆動装置の駆動状態を示す斜視図である。
【図８】本発明の実施例の役物の駆動装置の動きを説明する概略図である。
【図９】本発明の実施例の役物の駆動装置がセンター役物の一部に組み込まれた場合を説明する動作説明図である。
【図１０】本発明の別の実施例の役物の駆動装置の斜視図である。
【符号の説明】
【００４１】
１０  パチンコ機（遊技機）
３０  センター役物
３０a  図柄表示装置
５０  制御装置
６０  モータ
１００、２００  役物の駆動装置
１１０、１２０，１３０，１４０、１５０  リンク部材
１９０  平歯車
２１０、２２０、２３０、２４０、２５０，２６０，２７０  リンク部材
２９０  平歯車
【図１】
0004679408.tif 000002
【図２】
0004679408.tif 000003
【図３】
0004679408.tif 000004
【図４】
0004679408.tif 000005
【図５】
0004679408.tif 000006
【図６】
0004679408.tif 000007
【図７】
0004679408.tif 000008
【図８】
0004679408.tif 000009
【図９】
0004679408.tif 000010
【図１０】
0004679408.tif 000011